(57)【要約】【課題】  本発明は、貯蔵室内の左右側壁に設けられた案内レールにより前後方向に移動可能な枠体と、この枠体に一体となるように取り付けられた引出ドアと、この枠体に保持される下段容器と、この下段容器の左右上端にスライド可能に載せられた上段容器とを備える所謂２段容器の引出ドアを備える冷蔵庫において、上段容器のスライドをより、スムーズに行うことを目的としている。【解決手段】  本発明は、貯蔵室内の左右側壁に設けられた案内レールにより前後方向に移動可能な枠体と、この枠体に一体となるように取り付けられた引出ドアと、この枠体に保持される下段容器と、この下段容器の左右上端にスライド可能に載せられた上段容器とを備える冷蔵庫において、前記下段容器より後方の前記枠体に取り付けられ、前記上段容器のスライド可能に支えるスライド延長部材を備えることを特徴とする。【選択図】    図１
2006220378.tif 000002
【特許請求の範囲】
【請求項１】
貯蔵室内の左右側壁に設けられた案内レールにより前後方向に移動可能な枠体(2)と、この枠体に一体となるように取り付けられた引出ドア(1)と、この枠体(2)に保持される下段容器(3)と、この下段容器(3)の左右上端にスライド可能に載せられた上段容器(4)とを備える冷蔵庫において、
前記下段容器(3)より後方の前記枠体(2)に取り付けられ、前記上段容器(4)をスライド可能に支えるスライド延長部材(5)を備えることを特徴とする冷蔵庫。
【発明の詳細な説明】
【技術分野】
【０００１】
本発明は、少なくとも引出ドアとこの引出ドアに設けられた下段容器とこの下段容器の上端をスライドする上段容器とを備える冷蔵庫に関する。
【背景技術】
【０００２】
冷蔵庫には、引出ドアを備えるものがある。この引出ドアには、容器が取り付けられている。そして、食品の収納性を高めるために、２段容器とするものがある。
【０００３】
野菜室等の貯蔵室内の左右側壁には案内レールが設けられている。そして、野菜室の引出ドアには、案内レールにより前後方向に移動可能な枠体が取り付けられたいる。
【０００４】
そして、この枠体と引出ドアにより、下段容器が保持固定される。そして、上段容器は、下段容器にスライド可能に載置される。
【０００５】
引出ドアを一杯に引き出すと下段容器も同時に引き出される。この状態で、上段容器は前後に移動可能である。
【０００６】
上段容器の食品を取り扱う場合は、上段容器は下段容器の上に位置する。また、下段容器の食品を取り扱い場合は、この上段容器は邪魔であるので、奥方に押し込まれる。つまり、上段容器は下段容器の左右上端をスライドして奥方に収納される。
【０００７】
冷蔵庫を設計する場合、この上段容器の前後幅を小さく設計し、且つ、上段容器のスライド量を小さくすれば、この上段容器は下段容器のみによってスライド可能に支持されるようにすればよい。
【０００８】
また、冷蔵庫を設計する場合、この上段容器のスライド量を大きくするためには、貯蔵室の内壁に上段容器用の支持レールを形成することとなる（特許文献１参照）。
【特許文献ｌ】特許第２８４６６３２号公報
【発明の開示】
【発明が解決しようとする課題】
【０００９】
本発明は、上段容器のスライドをより、スムーズに行うことを目的としている。
【００１０】
本発明は、上段容器を下段容器のみの支持でスライドさせる場合、上段容器をより安定させるものである。
【００１１】
また、本発明は、上段容器を下段容器と支持レールの支持でスライドさせる場合も、上段容器をより安定させるものである。
【課題を解決するための手段】
【００１２】
本発明は、貯蔵室内の左右側壁に設けられた案内レールにより前後方向に移動可能な枠体と、この枠体に一体となるように取り付けられた引出ドアと、この枠体に保持される下段容器と、この下段容器の左右上端にスライド可能に載せられた上段容器とを備える冷蔵庫において、前記下段容器より後方の前記枠体に取り付けられ、前記上段容器のスライド可能に支えるスライド延長部材を備えることを特徴とする。
【発明の効果】
【００１３】
上段容器は、下段容器の左右上端をスライドするが、本発明によれば、そのスライド距離は、スライド延長部材の分だけ延長される。このため、上段容器はスライド延長部材上においてもをスライド可能に支持され、安定する。また、上段容器のスライド量を大きく設計することができる。
【発明を実施するための最良の形態】
【００１４】
本発明は、貯蔵室内の左右側壁に設けられた案内レールにより前後方向に移動可能な枠体と、この枠体に一体となるように取り付けられた引出ドアと、この枠体に保持される下段容器と、この下段容器の左右上端にスライド可能に載せられた上段容器とを備える冷蔵庫において、前記下段容器より後方の前記枠体に取り付けられ、前記上段容器のスライド可能に支えるスライド延長部材を備える。
【実施例１】
【００１５】
図１、図２を参照しつつ、本発明の実施例１を説明する。
【００１６】
図１は、引出ドアの斜視図である。図２は、スライド延長部材の取り付け図である。
【００１７】
図１において、１は引出ドアである。２は枠体である。３は下段容器である。４は上段容器である。５はスライド延長部材である。
【００１８】
枠体２は、冷蔵庫本体（図示せず）側の貯蔵室内の左右側壁に設けられた案内レールにより前後方向に移動可能である。この枠体２は、引出ドア１と一体となるように取り付け固定されている。下段容器３は、枠体２に保持されている。この下段容器３の上には上段容器４が載置されている。上段容器４は下段容器の左右上端３ａにスライド可能に載置されている。
【００１９】
スライド延長部材５は、下段容器３の後方の枠体２部分に取り付けられる。
【００２０】
このように、この引出ドア１には下段容器が保持される。
【００２１】
使用者が、この引出ドア１を引くと、枠体１は案内レールに沿って手前に移動する。よって、引出ドア１、枠体２，下段容器３、上段容器４の全てが引き出される。そして、使用者が、下段容器３内の食品を取り出すために、上段容器４を奥方に押すと、上段容器４は、下段容器４の上端３ａ上をスライドし奥方に移動する。そして、上段容器４はスライド延長部材５により、引き続きスライド可能に支持される。
【００２２】
このように、下段容器３が存在しない後方においてもスライド延長部材５により上段容器４はスライド可能に支持される。
【００２３】
図２において、５ａは左側の枠体２に取り付けられるスライド延長部材５の爪部であり、枠体２の上端に引っかけられる。５ｂは、先端鉤状の挿入部であり、枠体１の係止孔２ｂに挿入されて係止されることにより、スライド延長部材５は枠体１に取り付け固定される。このスライド延長部材５の上端５ｃは、下段容器３において上段容器４がスライドされる上端３ａと同じ高さになるように設計されている。このため、上段容器４は、下段容器３の上端３ａとこの上端５ｃとの上をスライドする。
【図面の簡単な説明】
【００２４】
【図１】本発明の実施例１の引出ドアの斜視図である。
【図２】実施例１のスライド延長部材の取り付けを説明するための図である。
【符号の説明】
【００２５】
１      引出ドア、
２      枠体、
３      下段容器、
３ａ    下段容器の上端、
４      上段容器、
５      スライド延長部材。
【図１】
2006220378.tif 000003
【図２】
2006220378.tif 000004